(57)【要約】      （修正有）【課題】従来よりも液滴を微細に生成することによって、皮膚への優れた高い浸透作用を発揮し、従来よりも保湿時間が長時間持続する高い保湿能力を有する装置及び方法を提供する。【解決手段】流路４４内又は流路外部における水蒸気の気流と気体の気流との混合を通じて、水蒸気を凝縮させて液滴噴射流が形成され得るように構成した。【選択図】図１
2017006233.tif 000002
【特許請求の範囲】
【請求項１】
皮膚用水分印加装置であって、
流体導通可能な流路と、
水蒸気の気流を前記流路内に供給する水蒸気供給手段と、
気体の気流を前記流路内に供給する気体供給手段と、
を備え、
前記流路内には、前記水蒸気の気流に対して、前記水蒸気の気流の方向とは異なる方向から前記気体の気流を衝突させることによって前記気流同士を混合させる衝突混合部が存在しており、
前記流路内における前記気流同士の衝突混合を通じ、前記水蒸気を凝縮させて前記液滴噴射流が形成され得るように構成されていることを特徴とする皮膚用水分印加装置。
【請求項２】
皮膚用水分印加装置であって、
流体導通可能な、第１噴射口を有する第１流路と、
流体導通可能な、第２噴射口を有する第２流路と、
水蒸気の気流を前記第１流路内に供給する水蒸気供給手段と、
気体の気流を前記第２流路内に供給する気体供給手段と、
を備え、
前記第１噴射口及び前記第２噴射口は、前記第２噴射口側及び前記第１噴射口側にそれぞれ内向きにした状態にて、分離配置されており、
前記第１噴射口及び前記第２噴射口を介して前記第１流路及び前記第２流路外に噴射された前記気流同士の衝突混合を通じ、前記水蒸気を凝縮させて前記液滴噴射流が形成され得るように構成されていることを特徴とする皮膚用水分印加装置。
【請求項３】
前記各気流の温度、圧力及び流量を調整し得る凝縮調整手段を備えることを特徴とする、請求項１又は２に記載の皮膚用水分印加装置。
【請求項４】
液滴の平均粒径（Ｄ５０）が２０μｍ以下を有する液滴噴射流生成用であることを特徴とする請求項１〜３のいずれか一項に記載の皮膚用水分印加装置。
【請求項５】
請求項１〜請求項４のいずれか一項に記載の皮膚用水分印加装置を備える美顔器。
【請求項６】
皮膚用水分印加方法であって、
水蒸気の気流を流路内に供給する水蒸気供給工程と、
気体の気流を流路内に供給する気体供給工程と、
前記流路内において、前記水蒸気の気流に対して、前記水蒸気の気流の方向とは異なる方向から前記気体の気流を衝突させることによって前記気流同士の衝突混合を通じ、前記水蒸気を凝縮させて前記液滴噴射流が形成され得る工程と、
を含むことを特徴とする皮膚用水分印加方法。
【請求項７】
皮膚用水分印加方法であって、
水蒸気の気流を、第１噴射口を有する第1流路内に供給する水蒸気供給工程と、
気体の気流を、第２噴射口を有する第２流路内に供給する気体供給工程と、
前記第１噴射口及び前記第２噴射口は、前記第２噴射口側及び前記第１噴射口側にそれぞれ内向きにした状態にて、分離配置されており、
前記第１噴射口及び前記第２噴射口を介して前記第１流路及び前記第２流路外に噴射された前記気流同士の衝突混合を通じ、前記水蒸気を凝縮させて前記液滴噴射流が形成され得る工程と、
を含むことを特徴とする皮膚用水分印加方法。
【請求項８】
前記気体は、空気、窒素、酸素、二酸化炭素、塩素、フッ素、アンモニア及び希ガスから選択される一種以上であることを特徴とする、請求項６又は７に記載の皮膚用水分印加方法。
【請求項９】
液滴の平均粒径（Ｄ５０）が２０μｍ以下であることを特徴とする請求項６〜８のいずれか一項に記載の皮膚用水分印加方法。
【発明の詳細な説明】
【技術分野】
【０００１】
本発明は、肌の保湿装置に関する。特に、美容分野において利用可能な、皮膚への高い保湿能力を実現可能な技術に関するものである。
【背景技術】
【０００２】
近年、美容に関して肌の乾燥を防止する課題があり、肌水分量を増加させることが要望されている。
【０００３】
従来、肌水分量を増加させるためには、化粧水のような保湿成分を含む塗布剤を肌に塗る方法が一般的に行われている。また、例えば、特許文献１では、空気中の水分を凝縮させて霧化させて発生した微粒子水を肌に噴霧することによって、肌水分量を増加させる技術が提案されている。
【先行技術文献】
【特許文献】
【０００４】
【特許文献１】特開２０１１−５２６６号公報
【発明の概要】
【発明が解決しようとする課題】
【０００５】
しかしながら、上記特許文献１に記載された技術では、肌に与える水分量を一時的に増加させることはできるが、噴霧直後に高い浸透作用を維持した保湿効果をより長時間持続させることについては更なる改善の余地があった。
【０００６】
そこで、本発明は、上記事情に鑑みてなされたものであり、噴射後に、より高い保湿効果を有すると共に、より高い保湿効果を長時間持続し得ることのできる装置を提供することを目的とする。
【課題を解決するための手段】
【０００７】
上記課題を解決するために、本発明の皮膚用水分印加装置は、水蒸気の気流と気体の気流との混合を通じ、水蒸気を凝縮させて液滴噴射流が形成され得るように構成されていることを特徴とする。具体的には、本発明は以下の通りである。
【０００８】
本発明は、皮膚用水分印加装置であって、
流体導通可能な流路と、
水蒸気の気流を前記流路内に供給する水蒸気供給手段と、
気体の気流を前記流路内に供給する気体供給手段と、
を備え、
前記流路内には、前記水蒸気の気流に対して、前記水蒸気の気流の方向とは異なる方向から前記気体の気流を衝突させることによって前記気流同士を混合させる衝突混合部が存在しており、
前記流路内における前記気流同士の衝突混合を通じ、前記水蒸気を凝縮させて前記液滴噴射流が形成され得るように構成されていることを特徴とする装置である。
また、本発明は、
皮膚用水分印加装置であって、
流体導通可能な、第１噴射口を有する第１流路と、
流体導通可能な、第２噴射口を有する第２流路と、
水蒸気の気流を前記第１流路内に供給する水蒸気供給手段と、
気体の気流を前記第２流路内に供給する気体供給手段と、
を備え、
前記第１噴射口及び前記第２噴射口は、前記第２噴射口側及び前記第１噴射口側にそれぞれ内向きにした状態にて、分離配置されており、
前記第１噴射口及び前記第２噴射口を介して前記第１流路及び前記第２流路外に噴射された前記気流同士の衝突混合を通じ、前記水蒸気を凝縮させて前記液滴噴射流が形成され得るように構成されていることを特徴とする装置である。
なお、前記各気流の温度、圧力及び流量を調整し得る凝縮調整手段を備えてもよい。
また、液滴の平均粒径（Ｄ５０）が２０μｍ以下を有する皮膚用水分印加装置であってもよい。
また、皮膚用水分印加装置を備える美顔器であってもよい。
ここで、本発明は、皮膚用水分印加方法であって、
水蒸気の気流を流路内に供給する水蒸気供給工程と、
気体の気流を流路内に供給する気体供給工程と、
前記流路内において、前記水蒸気の気流に対して、前記水蒸気の気流の方向とは異なる方向から前記気体の気流を衝突させることによって前記気流同士の衝突混合を通じ、前記水蒸気を凝縮させて前記液滴噴射流が形成され得る工程と、
を含むことを特徴とする方法であってもよい。
また、本発明は、皮膚用水分印加方法であって、
水蒸気の気流を、第１噴射口を有する第1流路内に供給する水蒸気供給工程と、
気体の気流を、第２噴射口を有する第２流路内に供給する気体供給工程と、
前記第１噴射口及び前記第２噴射口は、前記第２噴射口側及び前記第１噴射口側にそれぞれ内向きにした状態にて、分離配置されており、
前記第１噴射口及び前記第２噴射口を介して前記第１流路及び前記第２流路外に噴射された前記気流同士の衝突混合を通じ、前記水蒸気を凝縮させて前記液滴噴射流が形成され得る工程と、
を含むことを特徴とする方法であってもよい。
また、前記気体は、空気、窒素、酸素、二酸化炭素、塩素、フッ素、アンモニア及び希ガスから選択される一種以上であってもよい。
また、液滴の平均粒径（Ｄ５０）が２０μｍ以下であることを特徴としてもよい。
【発明の効果】
【０００９】
本発明によれば、従来よりも液滴を微細に生成することができるため、皮膚への優れた高い浸透作用を発揮し、従来よりも保湿時間が長時間持続する高い保湿能力を有するという効果を奏する。
【図面の簡単な説明】
【００１０】
【図１】本実施形態における、皮膚用水分印加装置の全体構成図である。
【図２】本実施形態における、水蒸気と気体（空気）との噴射の様子を示した図（写真）である。
【図３】実施例１における皮膚用水分印加装置と、比較例における装置との検証実験の結果を示す図である。
【図４（ａ）】実施例１における、液滴径の測定結果を示した図（写真）である。
【図４（ｂ）】実施例１における、液滴径の測定結果を示した図（写真）である。
【図５】本実施形態における、皮膚用水分印加装置の他の全体構成図である。
【発明を実施するための形態】
【００１１】
以下、本発明の実施形態について図面（写真）を参照しつつ説明する。尚、本発明の技術的範囲は当該実施形態には限定されない。尚、本発明で使用する生成過程における二相流体は、対象物へ噴射する流体として水蒸気と気体とを含む流体でよい。以下に気体と水蒸気との二相流体を用いた形態を例示する。
【００１２】
≪皮膚用水分印加装置の全体構成≫
以下、図１を参照しながら、本実施形態における皮膚用水分印加装置１（以下、単に水分印加装置１とする）の全体構成を説明する。
＜水分印加装置１＞
水分印加装置１は、水蒸気発生部２、水蒸気流体調整部３、水蒸気凝縮調整部４、液滴噴射部５を有する構成である。以下、各要素を詳述する。
【００１３】
＜水蒸気発生部２＞
水蒸気発生部２は、水を供給し、加熱する水加熱部２１と、水加熱部２１で所定温度Ｄ１℃以上に加温して発生させた水蒸気を貯蔵する飽和水蒸気貯蔵部２２と、飽和水蒸気を供給する流路（例えば、配管）２３と、から構成される。
【００１４】
水とは、イオン交換水、純水又は超純水として使用されている程度の特性の水を指し、更にグレードの低い水道水まで包含される。
【００１５】
対象物とは、人体である。より具体的には人体の皮膚であり、例えば、手、足、頭（頭皮）、顔（顔面）まで包含される。
【００１６】
＜水蒸気流体調整部３＞
水蒸気流体調整部３は、水蒸気発生部２から供給される飽和水蒸気を、例えば、加熱（例えば、２００℃）して過熱水蒸気を発生させる。過熱水蒸気とするのは、飽和水蒸気では大気圧に開放された際に１００℃以下まで低下してしまうため温度制御の幅が限定されるが、過熱水蒸気とした場合には１００℃以上の水蒸気を使用することができるためである。
【００１７】
＜水蒸気凝縮調整部４＞
水蒸気凝縮調整部４は、乾燥した気体（例えば、空気）の温度を設定・調整（例えば、ヒーターによる加熱、チラーによる冷却）し、気体（空気）の気流を供給するための気体供給部４１と、気体の流量を計測して調整するための流量計４２と、過熱水蒸気の圧力を計測して調整するための圧力計４３と、流路（例えば、配管）４４とから構成される。水蒸気凝縮調整部４は、水蒸気流体調整部３から供給される過熱水蒸気の気流と、気体（例えば、空気）の気流とが、流路４４における混合部４５で混合（混流）されて、過熱水蒸気が凝縮される。過熱水蒸気の一部が凝縮されると液滴が形成され得る。
【００１８】
気体とは、特に限定されず、例えば、空気、窒素、酸素、二酸化炭素、塩素、フッ素、アンモニア及び希ガスから選択される一種以上であればよい。
【００１９】
液滴とは、特に限定されず、例えば、不純物を含まない純水滴、薬液、薬液等の有効成分を含んだ水滴であってもよい。
【００２０】
＜液滴噴射部５＞
液滴噴射部５は、対象物に対して液滴を噴射するための、前後左右方向に移動可能な噴射ノズルである。ここで、ノズルは、例えば、超高速ノズルである。超高速ノズルとは、液滴を音速以上に加速可能なノズルであればよく、特に限定されない。
【００２１】
図２は、図１の水分印加装置１において、液滴噴射部５から噴射される過熱水蒸気と気体（以下、空気として説明する）との混合（混流）を通じ、過熱水蒸気の一部を凝縮させて形成される液滴の噴射の様子を示した図（写真）である。
【００２２】
図２（ａ）は、水蒸気流体調整部３から供給される過熱水蒸気だけの場合の噴射の様子を示した図（写真）である。次に、図２（ｂ）〜（ｄ）は、水蒸気流体調整部３から供給される過熱水蒸気（の気流）に対して空気（の気流）を少量から多量へと混合（混流）させた場合の噴射の様子を示した図（写真）である。具体的に、図２（ｂ）は、水蒸気流体調整部３から供給される過熱水蒸気（の気流）に対して１００Ｌ／ｍｉｎの空気（の気流）を混合（混流）させた場合の噴射の様子を示した図（写真）である。図２（ｃ）は、水蒸気流体調整部３から供給される過熱水蒸気（の気流）に対して１５０Ｌ／ｍｉｎの空気（の気流）を混合（混流）させた場合の噴射の様子を示した図（写真）である。図２（ｄ）は、水蒸気流体調整部３から供給される過熱水蒸気（の気流）に対して３００Ｌ／ｍｉｎの空気（の気流）を混合（混流）させた場合の噴射の様子を示した図（写真）である。なお、図２（ｂ）〜（ｄ）のいずれについても過熱水蒸気に対してかける圧力は０．０５ＭＰａである。
【００２３】
図２（ａ）に示されるように、水蒸気流体調整部３から供給される過熱水蒸気に対して水蒸気凝縮調整部４から空気が混合（混流）されない、すなわち、過熱水蒸気だけの場合には、噴射される色は無色であることが理解できる。これに対して、図２（ｂ）のように、水蒸気流体調整部３から供給される過熱水蒸気（の気流）に対して１００Ｌ／ｍｉｎの空気（の気流）を混合（混流）させた場合には、噴射の色は無色透明である。次に、図２（ｃ）のように、水蒸気流体調整部３から供給される過熱水蒸気（の気流）に対して１５０Ｌ／ｍｉｎの空気（の気流）を混合（混流）させた場合には、噴射の色は、わずかに白色となることが理解できる。更に、図２（ｄ）のように、水蒸気流体調整部３から供給される過熱水蒸気（の気流）に対して３００Ｌ／ｍｉｎの空気（の気流）を混合（混流）させた場合には、噴射の色は、白色がわずかに濃くとなることが理解できる。
【００２４】
このように過熱水蒸気（の気流）に対して空気（の気流）を混合（混流）させることによって過熱水蒸気が冷却され、過熱水蒸気が凝縮して液滴に変化している様子が理解できる。つまり、過熱水蒸気（の気流）に対して空気（の気流）を混合（混流）させることによって、液滴径が小さくなると共に液滴数が増加していることが考えらえる。図２（ｂ）〜（ｄ）において、噴射される液滴径は、５μｍ以下である。
【００２５】
以上より、過熱水蒸気に空気を混ぜて凝縮させた場合には、気体である過熱水蒸気の一部を液化させ、液滴が無い状態から液滴を発生・成長させることが可能であり、液滴成長を制御することで微細な液滴を発生させることが可能となる。
【実施例】
【００２６】
以下、本実施形態における水分印加装置１を用いた場合の効果について、比較例とともに実験した結果について説明する。
【００２７】
＜実施例１＞
≪検証実験の説明≫
＜検証実験＞
検証実験においては、被験者に対して比較例の装置（以下、比較装置とする）で噴射した場合と、水分印加装置１で噴射した場合のケースについて、皮膚の水分量の時間的変化を測定した。比較装置は、フェイシャルスチーマー（フェイシャルスチーマー７０７）を使用した。
【００２８】
被験者は６０代男性と、５０代女性であり、被験部位は、被験者の左前腕の内側とし、左前腕の内側中央付近に印をつけ、その印を目標として比較装置と水分印加装置１で実施した。
【００２９】
被験者は、室温２３℃±３℃、湿度４８％±２％の部屋において、椅子に座った状態で１０分間安静に過ごした後に、比較装置と水分印加装置１で実施した。
【００３０】
噴射については、皮膚から約１０ｃｍ離れた位置から被験部位に噴射した。なお、水分印加装置１からの噴射による体感温度は４２℃±１℃である。
【００３１】
肌水分量の測定は、噴射前を初期値とし、噴射後から１分毎に、被験部位に付けた印について行い、その変化を評価した。なお、肌水分量の測定は、デジタルモイスチェッカー（水分量測定器）を用いて測定した。
【００３２】
肌水分量の測定においては、比較装置と水分印加装置１との水の使用量を合わせた上で測定する必要がある。比較装置では、水の消費量が２９分間に約４００ｍｌであることから１３．８ｍｌ／分となる。一方で、水分印加装置１の水の消費量が６０分間に約１,０００ｍｌであることから１６．７ｍｌ／分となる。以上から、双方の水の使用量の差は、１６．７（ｍｌ／分）／１３．８（ｍｌ／分）＝１．２１０・・となるため、水分印加装置１の噴射時間を比較装置の噴射時間に対して１．２倍長くする必要がある。
【００３３】
図３は、上述のような条件において測定した結果を示したグラフであり、表１は、測定した結果の値を示している。以下、図３と表１を用いて実験結果について説明する。
【００３４】
表１
2017006233.tif 000003
【００３５】
図３において、横軸に時間（経過時間）が示されており、縦軸には、噴射前の初期状態における肌水分量に対する水分量変化率（％）が示されている。より詳しく説明すると、横軸の一番左側にあるＢ（Ｂｅｆｏｒｅ）は、使用前（噴射前）の肌水分量を示し、Ａ（Ａｆｔｅｒ）は使用後（噴射後）の肌水分量を示している。ここで、表１を参照すると、使用前（Ｂ）欄に数値が記入されている箇所（２６．１、３０．６、２９．２、３１．８）は、まさに使用前（噴射前）の肌水分量である。一方、もう一つの使用前（Ｂ）欄には、数値が全てゼロとなっている。これは、初期値をゼロとするために、使用前（Ｂ）欄の数値（２６．１、３０．６、２９．２、３１．８）を差し引いた値である。よって、使用後（Ａ）は、初期値（ゼロ）から増加した分だけの肌水分量（％）を示している（本来であれば、例えば、２６．１＋２７．４＝５３．４％となるが、２６．１を予め差し引く為、初期値ゼロに対して増加分の値が２７．４となる）。
【００３６】
被験者について、被験者Ａは５０代女性であり、被験者Ｂは６０代男性である。
【００３７】
噴射時間については、比較装置について、５分間と７分間の２パターンを行った。一方、上述したように、水の使用量を合わせるために水分印加装置１の噴射時間を比較装置の噴射時間に対して１．２倍長くする必要がある。割合からすると比較装置の噴射時間の５分に対して６分でよいが、本実施例では長めに７分とした。
【００３８】
図３のグラフにおいて、使用後（Ａ）における比較装置と水分印加装置１とを使用した場合の被験者Ｂ（男性）の肌水分量を比較してみると、比較装置では、１７．３％であるのに対し、水分印加装置１を使用した場合には、２９．５％となり、噴射直後において約１．７倍もの高い浸透作用（浸透力）があることが確認できた。
【００３９】
次に、図３のグラフにおいて、噴射後３０分経過した時点での被験者Ｂ（男性）の肌水分量を確認してみると、比較装置では、１．６％（噴射直後は１７．３％）である。これに対して、水分印加装置１を使用した場合には、１４．０％（噴射直後は２９．５％）である。噴射後３０分経過した時点においては、比較装置を使用した場合よりも８．７５倍もの高い浸透作用（浸透力）があることが確認できた。このように、水分印加装置１を使用した場合には、使用後（Ａ）、すなわち噴射直後において高い浸透作用（浸透力）を有しており、噴射後３０分経過しても、高い浸透作用（浸透力）を維持していること、言い換えれば、より高い保湿効果の持続性が確認できた。
【００４０】
これは、水分印加装置１により、微細な液滴を噴射することができるため、例えば、微細な液滴が肌の角質層表面の隙間に対して優れた高い浸透作用（浸透力）を発揮し、保湿時間が長時間継続することができると考えられる。
【００４１】
＜液滴径の測定＞
ここで、水分印加装置１が噴射する液滴径については、装置名：ＦｌоｗＭａｓｔｅｒＰＩＶ（ＬＡＶＩＳＯＮ ＧＭＢＨ社製）を用いて測定を行った。本装置の測定原理としては、粒子イメージ流速計測法 (Ｐａｒｔｉｃｌｅ Ｉｍａｇｅ  Ｖｅｌоｃｉｍｅｔｒｙの略)で、粒子によって可視化された流れ場のイメージから、速度と方向を同時に解析する流体画像計測方法である。２次元ＰＩＶの計測原理では、まず可視化用レーザシート光源を、流れ場中に混入されたトレーサ粒子に照射し、ライトシートで切り出された流れ場の２次元断面内の粒子位置をカメラで撮影し記録する。本装置はパルス光をバックライトとし、高分解能画像法を使った計測システムである。
＜試験条件＞  
表２
2017006233.tif 000004
【００４２】
上記＜試験条件＞で測定した液滴径の測定結果を図４に示す。図４（ａ）は、２次元断面内の粒子位置をカメラで撮影し記録された画像である。そして、画像中の白点が液滴である。画像の１ピクセルが液滴径１μｍ（０．００１ｍｍ）であり、２μｍ（０．００２ｍｍ）程度のサイズが測定限界となる。図４（ｂ）は、図４（ａ）の白点のサイズを集計した結果である。集計結果を確認してみると、５μｍ（０．００５ｍｍ）以下のサイズから２μｍ（０．００２）程度まで分布しているのが理解できるが、２μｍ（０．００２ｍｍ）以下の測定が出来ていないことが理解できる。実際には、２μｍ（０．００２ｍｍ）以下の液滴（水滴）（例えば０．１μｍ〜２．０μｍ）が大半を占めていることが考えられる。
【００４３】
以上、図面を参照しながら本発明の好適な実施形態について説明したが、本発明は上述した形態に限定されない。例えば、図１において、水蒸気凝縮調整部４は、水蒸気流体調整部３から供給される過熱水蒸気の気流と、気体供給部４１から供給される気体（例えば、空気）の気流とが、流路４４内における混合部４５で混合（混流）されることについて説明したが、図５に示すように、流路４４の外部、即ち、噴射部４６から噴射される過熱水蒸気の気流と、気体供給部４１から供給される気体（例えば、空気）の気流とが、流路４４の外部における混合部４５で混合（混流）するように構成してもよい。
【００４４】
また、水蒸気凝縮調整部４は、水蒸気流体調整部３から供給される過熱水蒸気の気流と、気体供給部４１から供給される気体（例えば、空気）の気流とが、流路４４内或いは流路４４の外部における混合部４５で混合（混流）されることについて説明したが、これに限られず、過熱水蒸気と空気に、例えば、薬効ガスや保湿剤や美白剤、育毛剤等の液剤を混合させてもよい。薬効ガスや液剤を混合させることで、本願における高い浸透作用（浸透力）、長い持続時間により、例えば、毛髪の成長を促進する高い育毛効果が期待できる。
【００４５】
また、水分印加装置１を備える美顔器（美容装置）として使用してもよい。美顔器（美容装置）として肌の乾燥やハリ不足、決めの粗さなどを改善し、潤ったハリ美肌・美顔へ導くことができるという効果が期待できる。
【００４６】
＜本実施形態の効果＞
本実施形態は、次の効果を奏する。
【００４７】
水蒸気（例えば、過熱水蒸気）に対して気体（例えば、空気）を混合（混流）させることで水蒸気（例えば、過熱水蒸気）の一部を凝縮させて液滴噴射流が形成され得るように構成した。
【００４８】
この構成によれば、水蒸気（例えば、過熱水蒸気）の気流と気体（例えば、空気）の気流とを混合（混流）させることによって水蒸気（例えば、過熱水蒸気）が冷却され、水蒸気（例えば、過熱水蒸気）の一部が凝縮して液滴径が小さくなる（微細）。その結果、従来よりも微細な液滴を噴射することができるため、肌に対して優れた浸透作用を発揮し、保湿時間が長時間継続するという高い保湿効果を有するという効果を奏する。
【００４９】
また、保湿時間が長時間継続することにより、肌のきめを整え、皮膚の緊張を高め、しわを伸ばし、肌を白くし、肌に透明感を与え、肌にうるおい感を与えるという美容効果を奏する。
【００５０】
また、この構成によれば、元々ある液体（水）を小さく分散させるわけでないため、液滴を無の状態から生成することができる。そのため、微細な液滴径から所望の液滴径まで大きくすることが可能となるため、液滴径の制御を簡単に行うことができる。言い換えれば、保湿能力の調整を簡単に行うことができるという効果を奏する。
【００５１】
また、この構成によれば、液滴径を微細にするによって、高い保湿効果だけでなく、安全でかつ高い洗浄力を有する。その結果、人の肌に付着した汚れを除去できるという効果を奏する。例えば、液滴の平均粒径（Ｄ５０）が２０μｍ（さらに好適には５μｍ）以下を有する頭皮洗浄用として適用することができる。
【符号の説明】
【００５２】
１・・・・・  水分印加装置
２・・・・・  水蒸気発生部
２１・・・・  水加熱部管
２２・・・・  飽和水蒸気貯蔵部
２３・・・・  配管
３・・・・・  水蒸気流体調整部
４・・・・・  水蒸気凝縮調整部
４１・・・・  気体供給部
４２・・・・  流量計
４３・・・・  圧力計
４４・・・・  流路
４５・・・・  混合部
５・・・・・  液滴噴射部
【図１】
2017006233.tif 000005
【図３】
2017006233.tif 000006
【図４（ｂ）】
2017006233.tif 000007
【図５】
2017006233.tif 000008
【図２】
2017006233.tif 000009
【図４（ａ）】
2017006233.tif 000010